(57)【要約】  本発明は、飲料が調製されているときに器具の使用者が器具のチャンバ内の飲料を視認することを可能にする透明窓（１１０）を特徴とする、ビールのような飲料を調製および分注するための器具（１００）を記載する。飲料が調製されるチャンバは、器具の一体部分であってもよく、または使い捨てチャンバ内に１杯分以上の飲料が調製された後に、取り外して、新しい使い捨てチャンバと交換することができる使い捨てチャンバであってもよい。器具は、チャンバを洗浄するための方法を有することができ、またはチャンバは、自己洗浄式であり得る。飲料を調製するためのチャンバが使い捨て容器である場合、濃縮飲料が既に容器内に予め包装されていてもよく、容器のケーシングは、酸素および光が容器に浸透し、内部に収容された濃縮飲料に影響することを防止することができる。
2018512901.tif 000002
【特許請求の範囲】
【請求項１】
飲料を調製するための器具であって、
ハウジングと、
少なくとも１つの液体供給源と、
飲料を分注するためのディスペンサと、を備え、
前記器具の外部の少なくとも１つの部分が透明であり、前記器具の前記外部の前記少なくとも１つの透明部分が、前記飲料を調製するためのチャンバの透明壁を備える、器具。
【請求項２】
前記透明部分が、長方形である、請求項１に記載の器具。
【請求項３】
前記透明部分が、円形である、請求項１に記載の器具。
【請求項４】
前記飲料を調製するための前記チャンバが、前記飲料を分注するための前記ディスペンサに結合される、請求項１に記載の器具。
【請求項５】
前記少なくとも１つの液体供給源が、炭酸液体の供給源である、請求項１に記載の器具。
【請求項６】
前記飲料を調製するための前記チャンバが、前記ハウジングの一体部分である、請求項１に記載の器具。
【請求項７】
前記飲料を調製するための前記チャンバが、前記液体と濃縮飲料とを混合するための混合チャンバに結合される、請求項６に記載の器具。
【請求項８】
前記液体および濃縮飲料が、前記飲料を調製するために前記チャンバ内で混合される、請求項６に記載の器具。
【請求項９】
前記飲料を調製するための前記チャンバが、第１のチャンバおよび第２のチャンバを備え、前記第１のチャンバおよび前記第２のチャンバが、仕切りによって分割される、請求項８に記載の器具。
【請求項１０】
前記仕切りが不透明である、請求項９に記載の器具。
【請求項１１】
前記液体および前記濃縮飲料が、前記第１のチャンバ内で混合され、前記透明部分が、前記第２のチャンバの透明壁である、請求項１０に記載の器具。
【請求項１２】
前記飲料を調製するための前記チャンバが、自己洗浄式である、請求項６に記載の器具。
【請求項１３】
前記チャンバが、殺菌性コーティングを備える、請求項１２に記載の器具。
【請求項１４】
前記殺菌性コーティングが、金属を含む、請求項１３に記載の器具。
【請求項１５】
前記金属が、銅または銀である、請求項１４に記載の器具。
【請求項１６】
前記飲料を調製するための前記チャンバを洗浄するための少なくとも１つの装置をさらに備える、請求項６に記載の器具。
【請求項１７】
前記チャンバを洗浄するための前記少なくとも１つの装置が、前記チャンバを加熱する、洗い流す、または滅菌することによって前記チャンバを洗浄する、請求項１６に記載の器具。
【請求項１８】
前記チャンバを洗浄するための前記少なくとも１つの装置が、前記チャンバを紫外光によって滅菌することによって前記チャンバを洗浄する、請求項１７に記載の器具。
【請求項１９】
前記透明壁が、ガラス、プラスチック、およびポリマーからなる群から選択される材料からなる、請求項１に記載の器具。
【請求項２０】
前記飲料を調製するための前記チャンバおよび前記ディスペンサが、前記器具の単一の態様に配向される、請求項１に記載の器具。
【請求項２１】
前記飲料を調製するための前記チャンバが、前記器具から取り外し、かつ新しい使い捨てチャンバと交換することができる使い捨てチャンバである、請求項１に記載の器具。
【請求項２２】
前記使い捨てチャンバが、濃縮飲料を含む、請求項２１に記載の器具。
【請求項２３】
前記使い捨てチャンバの前記外部を穿孔して、前記液体が前記使い捨てチャンバに進入することを可能にするための穿刺装置をさらに備える、請求項２１に記載の器具。
【請求項２４】
前記使い捨てチャンバが、１杯分の飲料を調製することができる、請求項２１に記載の器具。
【請求項２５】
前記使い捨てチャンバが、複数杯分の飲料を調製することができる、請求項２１に記載の器具。
【請求項２６】
飲料を調製するための使い捨て容器であって、
外部ケーシングと、
濃縮飲料を収容する第１のチャンバと、を備え、
前記外部ケーシングの少なくとも第１の部分が透明である、使い捨て容器。
【請求項２７】
第２のチャンバをさらに備え、前記第１のチャンバおよび前記第２のチャンバが、不透明仕切りによって分割され、前記外部ケーシングの前記第１の透明部分が、前記第２のチャンバの壁である、請求項２６に記載の使い捨て容器。
【請求項２８】
少なくとも１つの風味を含む第３のチャンバをさらに備える、請求項２７に記載の使い捨て容器。
【請求項２９】
前記濃縮飲料が、固体または液体濃縮飲料である、請求項２６に記載の使い捨て容器。
【請求項３０】
前記濃縮飲料が、炭酸濃縮飲料である、請求項２９に記載の使い捨て容器。
【請求項３１】
前記外部ケーシングの少なくとも第２の部分が、浸透性部分である、請求項２６に記載の使い捨て容器。
【請求項３２】
前記外部ケーシングの前記第２の部分が、液体に対して浸透性である、請求項３１に記載の使い捨て容器。
【請求項３３】
前記第１のチャンバがまた、脱酸素剤を含む、請求項２６に記載の使い捨て容器。
【請求項３４】
前記外部ケーシングが、前記使い捨て容器への光の透過に抵抗する、請求項２６に記載の使い捨て容器。
【請求項３５】
前記外部ケーシングが、気体に対して非浸透性である、請求項２６に記載の使い捨て容器。
【請求項３６】
前記外部ケーシングが、酸素に対して非浸透性である、請求項３４に記載の使い捨て容器。
【請求項３７】
前記外部ケーシングの前記第１の透明部分を被覆する取り外し可能な不透明材料をさらに備える、請求項２６に記載の使い捨て容器。
【請求項３８】
前記取り外し可能な不透明材料が、膜または箔である、請求項３７に記載の使い捨て容器。
【発明の詳細な説明】
【技術分野】
【０００１】
本発明は、透明チャンバ内で飲料を調製するための器具および容器に関し、飲料が調製されている間、および分注される前に、使用者がチャンバ内の飲料を視認することを可能にする。より具体的には、本発明は、ａ）ハウジング、液体供給源、および飲料ディスペンサを備える、飲料を調製するための器具であって、器具の外部の少なくとも１部分が透明であり、器具の外部の少なくとも１つの透明部分が、飲料を調製するためのチャンバの壁を備える、器具と、ｂ）外部ケーシング、および濃縮飲料を収容する第１のチャンバを備える、飲料を調製するための使い捨て容器であって、外部ケーシングの第１の部分が透明である、使い捨て容器と、に関する。器具内で飲料を調製するためのチャンバは、ハウジングの一体部分であってもよく、または代替的に、１杯分以上の飲料を調製した後に器具から取り外し、かつ交換することができる、使い捨てチャンバであってもよい。
【背景技術】
【０００２】
近年、飲料の調製および分注のための多様な多くの器具が開発され、販売されている。これらの方法および器具のいくつかは、使用者が、コーヒーまたは紅茶などの飲料を、必要に応じて１杯分の量で調製することを可能にする。これらの器具は、その複雑性、サイズ、および費用が大きく変動し、自宅またはオフィスで使用するために購入することができる。
【０００３】
これらの器具の多くは、使用者が、コーヒーまたは紅茶などの高温の抽出飲料を調製することを可能にする。一般に、これらの器具は、水をほぼ沸騰温度に加熱し、次いでその加熱された水をコーヒー粉末または茶葉に通すことによって機能する。特定の器具では、コーヒー粉末または茶葉は、その器具での使用のために特別に設計された予め包装された容器に収容される。コーヒーまたは紅茶が抽出され、飲料が機械から分注された後、器具の使用者は、ミルク、クリーム、砂糖、または蜂蜜のような成分を飲料に加えることができる。
【０００４】
しかしながら、これらの既存の器具は多くの欠点を有する。それらは、一般に、上述したように、コーヒーまたは紅茶のような特定のタイプの温飲料に限定される。そして最近、飲料業界では、例えば、複雑な多くの風味および成分を巧妙にブレンドしたマイクロブルワリービール、果実やスパイスが溶け込んだスピリッツ、味および栄養の両方を提供するスポーツドリンク、伝統的な風味で新しい成分を融合するゼロカロリーの清涼飲料水のような、非常に人気のカスタム風味の飲料が急増してきている。飲料を調製するための既存の器具は、これらのカスタマイズ可能な飲料を調製する必要性および要望を単に満たすことができない。例えば、使用者がオンデマンドで１杯分のビールを作製することを可能にする既存の器具は存在しない。
【０００５】
さらに、そのような飲料の魅力の重要な部分は、単にその味によって生成されるのではなく、それらの視覚的外観によっても生成される。紅茶またはコーヒーのマグカップの望ましさは、その飲料が、例えばフレンチプレスで調製されたときに大幅に強化され、コーヒー粉または茶葉から風味が滲出したことを見て、湯を注入して飲料を調製することができる。同様に、パイントのガラスを満たすためにタップから注ぎ込まれたアンバー色のビールを視認することは、単にビールを不透明容器に入れて運ぶことよりも大いに視覚的に魅力的である。
【発明の概要】
【発明が解決しようとする課題】
【０００６】
この視覚的表現が飲料の調製において果たす重要な役割のために、器具の使用者が調製中に飲料を視認することができる飲料分注器具が必要であり、この視覚的成分が失われないようにする。しかしながら、このような器具の製造および設計には課題がある。例えば、使用者が調製中の１杯分のビールを視認することを可能にするチャンバを備えた器具は、新たな杯数のビールが分注されるたびに、チャンバが清潔で衛生的であることを確実にしなければならない。本発明の器具および容器は、これらの必要性および課題を満たすことに関する。
【課題を解決するための手段】
【０００７】
本発明は、特定の実施形態では、ハウジングと、少なくとも１つの液体供給源と、飲料を分注するためのディスペンサと、を備える、飲料を調製するための器具に関し、器具の外部の少なくとも１つの部分は透明であり、器具の外部の少なくとも１つの透明部分は、飲料を調製するためのチャンバの透明壁を備える。
【０００８】
本発明の特定の実施形態では、器具の外部の透明部分は、長方形である。本発明の他の実施形態では、透明部分は、円形である。
【０００９】
本発明の特定の実施形態では、飲料を調製するためのチャンバは、飲料を分注するためのディスペンサに結合される。
【００１０】
本発明の特定の実施形態では、液体の少なくとも１つの供給源は、炭酸液体の供給源である。本発明の特定の他の実施形態において、液体の少なくとも１つの供給源は、非発泡性液体の供給源である。
【００１１】
本発明の特定の実施形態では、飲料を調製するためのチャンバは、ハウジングの一体部分である。本発明の特定のさらなる実施形態では、飲料を調製するためのチャンバは、液体と濃縮飲料とを混合するための混合チャンバに結合される。
【００１２】
本発明の特定の実施形態では、液体および濃縮飲料は、飲料を調製するためのチャンバ内で混合される。本発明の特定のさらなる実施形態では、飲料を調製するためのチャンバは、第１のチャンバおよび第２のチャンバを備え、第１のチャンバおよび第２のチャンバは、仕切りによって分割される。本発明のさらに別の実施形態では、仕切りが不透明であり、液体および濃縮飲料が第１のチャンバで混合され、透明部分が第２のチャンバの透明壁である。
【００１３】
本発明の特定の実施形態では、飲料を調製するためのチャンバは自己洗浄式である。本発明のさらなる実施形態では、チャンバは、殺菌性コーティングを備える。本発明のなおさらなる実施形態では、殺菌性コーティングは、銅または銀などの金属を含む。
【００１４】
本発明の特定の実施形態では、飲料を調製するための器具は、飲料を調製するためのチャンバを洗浄するための少なくとも１つの装置をさらに備える。本発明のさらなる実施形態では、チャンバを洗浄するための少なくとも１つの装置は、チャンバを加熱する、洗い流す、または滅菌することによって、チャンバを洗浄する。本発明のなおさらなる実施形態では、チャンバを洗浄するための少なくとも１つの装置は、チャンバを紫外線で滅菌することによって、チャンバを洗浄する。
【００１５】
本発明の特定の実施形態では、飲料を調製するためのチャンバの透明壁は、ガラス、プラスチック、およびポリマーからなる群から選択される材料からなる。
【００１６】
本発明の特定の実施形態において、飲料を調製するためのチャンバおよびディスペンサは、器具の単一の態様に配向される。
【００１７】
本発明の特定の実施形態では、飲料を調製するためのチャンバは、器具から取り外して新しい使い捨てチャンバと交換することができる使い捨てチャンバである。本発明の特定のさらなる実施形態では、使い捨てチャンバは、濃縮飲料を含む。
【００１８】
本発明の特定の実施形態では、飲料を調製するための器具は、液体が使い捨てチャンバに進入することを可能にするために、使い捨てチャンバの外部を穿孔するための穿刺装置をさらに備える。
【００１９】
本発明の特定の実施形態では、使い捨てチャンバは、１杯分の飲料を調製することができる。本発明の他の実施形態では、使い捨てチャンバは、複数杯分の飲料を調製することができる。
【００２０】
本発明は、特定の実施形態では、外部ケーシングと、濃縮飲料を収容する第１のチャンバとを備える、飲料を調製するための使い捨て容器に関し、使い捨て容器の外部ケーシングの少なくとも第１の部分は、透明である。本発明の特定のさらなる実施形態では、使い捨て容器は、第２のチャンバをさらに備え、第１のチャンバと第２のチャンバは不透明仕切りによって分割され、外部ケーシングの第１の透明部分は第２のチャンバの壁である。本発明のなおさらなる実施形態では、使い捨て容器は、少なくとも１つの風味を含む第３のチャンバをさらに備える。
【００２１】
本発明の特定の実施形態では、濃縮飲料は、固体または液体濃縮飲料である。本発明の特定のさらなる実施形態では、濃縮飲料は炭酸濃縮飲料である。
【００２２】
本発明の特定の実施形態では、外部ケーシングの少なくとも第２の部分が浸透性部分である。本発明の特定のさらなる実施形態では、外部ケーシングの第２の部分は液体に対して浸透性である。
【００２３】
本発明の特定の実施形態では、第１のチャンバは、また脱酸素剤を含む。
【００２４】
本発明の特定の実施形態では、外部ケーシングは、使い捨て容器内への光の透過に抵抗する。
【００２５】
本発明の特定の実施形態では、外部ケーシングは、気体に対して非浸透性である。本発明の特定のさらなる実施形態では、外部ケーシングは、酸素に対して非浸透性である。
【００２６】
本発明の特定の実施形態では、使い捨て容器は、外部ケーシングの第１の透明部分を被覆する取り外し可能な不透明材料をさらに備える。本発明の特定のさらなる実施形態では、取り外し可能な不透明材料は、膜または箔である。
【図面の簡単な説明】
【００２７】
【図１】飲料を調製するための器具のチャンバの内部を使用者が視認することを可能にする、器具の外部の透明部分を有する、飲料を調製するための器具の透視図である。
【図２】図１に示す飲料を調製するための器具の正面図である。
【発明を実施するための形態】
【００２８】
上述のように、本発明は、透明チャンバ内で飲料を調製するための器具および容器に関する。当業者であれば認識するように、このような器具および容器は、飲料が調製されている間および分注される前に、使用者がチャンバ内の飲料を視認することを可能にする。
【００２９】
当業者は、本発明の様々な実施形態を使用して、多種多様な飲料を調製することができることを認識するであろう。例えば、本発明の器具および容器によって調製される飲料は、ビール（エールおよびラガーを含む）、麦芽ベースの飲料、サイダー、ワイン、スピリッツ、混合飲料、清涼飲料水、ジュース、コーヒー、または茶を含む群から選択された任意の飲料であってもよい。本発明のいくつかの好ましい実施形態では、飲料はアルコール性もしくは非アルコール性ビール、例えばアルコール性もしくは非アルコール性エール、またはアルコール性もしくは非アルコール性ラガーである。本発明の特定の他の好ましい実施形態では、飲料は、ビール以外の麦芽ベースの飲料である。
【００３０】
本発明の目的上、「ビール」という用語は、酵母を用いた水中のデンプン源の醸造および発酵によって生成される飲料として定義される。適切なデンプン源としては、大麦、小麦、トウモロコシ、米、モロコシ、およびキビのような穀物が挙げられるが、これらに限定されない。キャッサバ、サトウキビ、およびジャガイモなどの他のデンプン源も、ビールを生成するためのデンプン源として使用することができる。同様に、酵母の様々な株を使用して、エール酵母株（「トップ発酵」酵母）およびラガー酵母株（「ボトム発酵酵母」）を含むが、これらに限定されない、「ビール」を発酵させることができる。
【００３１】
本発明の目的上、「ビール」という用語は、特定の国の法律、規則、または基準の下で「ビール」として定義される特定のサブセットの飲料を含むが、これに限定されない。例えば、ドイツのＲｅｉｎｈｅｉｔｓｇｅｂｏｔは、水、大麦−麦芽およびホップ以外の成分を有する飲料は「ビール」とみなすことができないと述べているが、本発明の目的上、「ビール」という用語はそのような成分の制限を有しない。同様に、本発明の目的上、「ビール」という用語は、飲料のアルコール含有量の制限を意味または示唆しない。
【００３２】
本発明のいくつかの好ましい実施形態では、飲料は器具によって調製される。これらの好ましい実施形態では、器具は、ａ）器具の構成要素の少なくともいくつかを含むハウジングと、ｂ）少なくとも１つの液体供給源と、ｃ）器具によって調製された飲料を分注するためのディスペンサと、を備える。これらの好ましい実施形態では、器具の外部の少なくとも１部分は透明であり、器具の外部の少なくとも１つの透明部分は、飲料を調製するためのチャンバの壁の透明部分である。この透明「窓」によって、器具の使用者は、器具内で調製中の飲料を視認することができる。
【００３３】
本発明のいくつかの実施形態では、少なくとも１つの透明窓を含む飲料を調製するためのチャンバは、器具のハウジングの一体部分であってもよい。本発明の他の実施形態では、飲料を調製するためのチャンバ（透明窓を含む）は、器具のハウジングの一体部分ではなく、器具から取り外すことができる。いくつかの実施形態では、取り外し可能なチャンバは、取り外し可能であり、洗浄され、次いで、器具に再設置され得る再使用可能なチャンバである。他の実施形態では、取り外し可能なチャンバは、器具から取り外して廃棄し、新しい使い捨てのチャンバと交換する使い捨てのチャンバである。
【００３４】
少なくとも１つの透明視認窓は、器具上の様々な位置に位置させることができる。本発明のいくつかの好ましい実施形態では、透明窓は、器具の前面に位置し、器具を操作する使用者に直接面している。しかしながら、本発明の他の実施形態では、窓を他の場所、例えば器具の上部または器具の側面に位置させることができる。本発明のいくつかの実施形態では、器具の複数の場所に位置する複数の透明窓、例えば、器具の上部の第１の透明窓および器具の前面の第２の透明窓があり得る。
【００３５】
飲料調製チャンバの透明窓は、本発明の様々な実施形態において、異なる形状にすることができる。透明窓は、円形、楕円形、正方形、六角形、または他の多角形であってもよい。透明窓は三次元構造であってもよく、例えば、いくつかの例示的な実施形態では、飲料調製チャンバは球形であり、透明窓は半球のような球の一部であってもよい。他の実施形態では、飲料調製チャンバは箱であり、透明窓はその箱の２つ以上の壁である。透明窓のための他の形状は、当業者に知られている。
【００３６】
本発明のいくつかの実施形態では、透明部分は、飲料を調製するためのチャンバの壁全体であってもよいが、他の実施形態では、透明窓は、飲料調製チャンバの壁の一部のみであってもよい。特定の実施形態では、飲料を調製するためのチャンバの複数の壁の部分（または全体）が透明窓である。
【００３７】
本発明のいくつかの実施形態では、飲料を調製するためのチャンバ内を視認するための透明窓は、透明ガラスで構成される。本発明の他の実施形態では、透明窓は、透明プラスチックで構成される。本発明の他の実施形態では、透明窓は、透明ポリマーからなる。
【００３８】
上述したように、本発明のいくつかの実施形態では、飲料を調製するためのチャンバは、器具内で取り外し、洗浄し、次いで再設置することができる再使用可能なチャンバである。しかしながら、本発明のいくつかの好ましい実施形態（チャンバが器具のハウジングの一体部分である実施形態と、チャンバが器具から取り外し可能な実施形態の両方の実施形態を含む）において、チャンバは自己洗浄チャンバである。
【００３９】
自己洗浄チャンバは、飲料を調製するためのチャンバを清潔かつ衛生的に保つために、様々な異なる方法（または方法の組み合わせ）を利用することができる。本発明のこれらの実施形態のうちのいくつかでは、自己洗浄チャンバは、透明視認窓の上に抗菌膜またはコーティングを備える。抗菌膜またはコーティングは、例えば、第４級アミン官能基を有するポリマーから構成することができる。
【００４０】
本発明のいくつかの実施形態では、自己洗浄チャンバは、容器の壁に殺菌性コーティングを備える。いくつかの実施形態では、殺菌性コーティングは、銅、銀、金、二酸化チタンまたはガリウムなどの抗細菌特性を有する金属を含む。例えば、コーティングは、銀または銅などのナノ粒子の粒子を組み込むことができる。本発明のいくつかの実施形態では、チャンバは、ポリテトラフルオロエチレン（ＰＴＦＥ）のような非粘着性または非湿潤性コーティングでコーティングされ、液体（調製された飲料自体のような）がチャンバ壁に付着し、飲料が分注された後でさえも、チャンバ内に残留することを防止する。非粘着性または非湿潤性の疎水性コーティングは、金属、セラミック、またはポリマー（例えば、ＰＴＦＥ）の溶射によって塗布することができる。
【００４１】
疎水性の非湿潤効果は、液体（すなわち、調製された飲料）のチャンバ壁面との接触角が９０度を超える場合に生じる。接触角が１５０度を超える場合、表面は「超疎水性」として知られており、液体の液滴は容易にチャンバ壁から垂れて落ちる（自己洗浄および超疎水性の蓮の花の葉にちなんで命名された「ロータス効果」として知られる効果）。本発明のいくつかの実施形態では、チャンバ壁は、表面上にマイクロスケールまたはナノスケールのトポグラフィー構造を有する超疎水性表面である。マイクロまたはナノグラフィートポロジー構造は、例えば、成形、エッチング、または彫刻（レーザー彫刻を含む）プロセスを使用して製造することができる。いくつかの実施形態では、超疎水性表面は、マンガン酸化物ポリスチレンナノコンポジット、酸化亜鉛ポリスチレンナノコンポジット、沈降炭酸カルシウム、カーボンナノチューブコーティング、またはシリカナノコーティングなどの超疎水性コーティングである。
【００４２】
本発明のいくつかの実施形態では、自己洗浄チャンバは、チャンバを洗浄するために１つ以上の洗浄装置を利用する。洗浄装置は、チャンバを加熱して微生物を殺滅し、加圧流体でチャンバを洗い流すか、またはチャンバを滅菌することができる。例えば、１つの好ましい実施形態では、チャンバは、細菌、ウイルス、およびカビのような微生物を殺滅または不活性化するために、短波長の紫外放射を放出する装置によって洗浄される。本発明のこの実施形態では、洗浄装置は、殺菌性波長でＵＶ放射を放出する水銀ランプである。
【００４３】
本発明の別の実施形態では、チャンバを洗浄するための装置は、飲料の混合および分注時間の最初の９０％の間に、飲料チャンバ内の流体圧力を一定レベルに維持する洗い流し装置である。しかしながら、その持続時間の最後の１０％の間、洗い流し装置は流体圧力をより高いレベルに上昇させる。飲料が完全に分注されると、洗い流し装置は流体圧力をさらに高いレベルに上昇させ、全ての液体がチャンバから洗い流されることを確実にする。
【００４４】
本発明のいくつかの好ましい実施形態では、飲料を調製するためのチャンバは、飲料を分注するためにディスペンサに結合され、調製された飲料がチャンバからディスペンサに流入することを可能にする。本発明のこれらの実施形態では、器具によって調製された飲料を分注するためのディスペンサは、（例えば）スピゴット、蛇口、タップ、またはスパウトのいずれかであり得る。
【００４５】
本発明のいくつかの実施形態では、飲料がチャンバ内で調製された後、飲料は、使用者によりいずれのさらなる行動も取られることなく、ディスペンサから直ちに分注される。しかしながら、本発明の他の実施形態では、使用者が、ボタンを押すこと、もしくはタップハンドルを引くこと、または当業者に知られた他の方法等の、器具に飲料を分注させる行動を取るときに、飲料がディスペンサから分注される。
【００４６】
本発明のいくつかの実施形態では、飲料を調製するためのチャンバは、少なくとも１つの液体供給源からの液体が濃縮飲料と混合される混合チャンバに結合され、混合チャンバからのこの混合物は、飲料を調製するチャンバに流入する。本発明の他の実施形態では、少なくとも１つの液体供給源からの液体を、飲料を調製するためにチャンバ内の濃縮飲料と混合する。
【００４７】
本発明のいくつかの実施形態では、少なくとも１つの液体供給源からの液体は、水である。水は、炭酸または非炭酸とすることができる。本発明の他の実施形態では、少なくとも１つの液体供給源からの液体は、成分が添加されるベース液体である。ベース液体は、アルコールまたは非アルコール性液体、炭酸もしくは非炭酸液体、またはそれらの様々な組み合わせであり得る。いくつかの実施形態では、アルコール性液体は、ビール（エールおよびラガーを含む）、サイダー、ワイン、麦芽ベースの飲料、発酵飲料、サイダーベースの飲料、スピリッツ等のベース液体として使用され得る。他の実施形態では、これらの様々なタイプの液体の非アルコール性の種類を、ベース液体として使用することができる。ベース液体はまた、非アルコール性液体、例えば、ビール、ジュース、シロップ、炭酸または非炭酸風味の水、炭酸または非炭酸清涼飲料、コーヒー、茶、ミルク、植物抽出物などであってもよい。
【００４８】
本発明のいくつかの実施形態では、少なくとも１つの液体供給源からの液体を濃縮飲料と混合して飲料を調製した後、飲料をさらに炭酸化することなく飲料をディスペンサから分注する。しかしながら、本発明の特定の他の実施形態では、少なくとも１つの液体供給源からの液体は、非発泡性液体であり、非発泡性液体を濃縮飲料と混合して１杯以上の飲料を調製した後、ディスペンサから飲料を分注する前に飲料を炭酸化する。同様に、本発明の他の実施形態では、少なくとも１つの液体供給源からの液体は、炭酸液体であり、炭酸液体を濃縮飲料と混合して１杯以上の飲料を調製した後、ディスペンサから飲料を分注する前に飲料をさらに炭酸化する。
【００４９】
本発明のいくつかの実施形態では、濃縮飲料は、容器内の器具に送達される。濃縮飲料を保持する容器は、様々な異なる形態を採ることができ、すなわち、本発明の様々な実施形態において、容器は、ポッド、パック、カプセル、ボトル、シリンダ、カートリッジ、またはそれらの同等物のいずれか１つであり得る。容器は、プラスチック（ポリエチレンテレフタレート（ＰＥＴ）もしくは高密度ポリエチレンを含むが、これに限定されない）、鋼、ステンレス鋼、もしくはアルミニウムなどの金属、またはガラス、セラミック、複合材、もしくは他のポリマーなどの他の材料から製造することができる。
【００５０】
当業者は、様々な飲料が本発明の容器において濃縮、加圧、パッケージ化され得ることを認識するであろう。例えば、本発明の濃縮飲料は、アルコール性もしくは非アルコール性ビール（エールおよびラガーを含む）、サイダー、ワイン、麦芽ベースの飲料、発酵飲料、サイダーベースの飲料、スピリッツ、ジュース、シロップ、炭酸もしくは非炭酸清涼飲料水、コーヒー、または茶であり得る。
【００５１】
本発明のいくつかの好ましい実施形態では、飲料を調製するためのチャンバは、仕切りによって第１のチャンバと第２のチャンバの２つの部分に分割される。本発明のこれらの実施形態のうちのいくつかでは、仕切りは、不透明であり、透明視認「窓」は、第２のチャンバの壁である。これらの例示的な実施形態では、濃縮飲料および液体は、第１のチャンバ内で一緒に混合されて飲料を形成し、次いで飲料が第２のチャンバに流入する。使用者は、透明視認窓を通して第２のチャンバ内の調製された飲料を視認することができるが、不透明な仕切りまたは障壁は、第１のチャンバへの使用者の視界を遮断する。これらの実施形態では、飲料の混合が終了すると、仕切りが穿刺されるかまたは引き裂かれ、飲料が第２のチャンバに流入し、器具の使用者は調製された飲料を視認することができる。
【００５２】
本発明の他の実施形態では、チャンバは、第３のチャンバ部分、第４のチャンバ部分などを備えてもよく、これらのチャンバの境界を画定する追加の仕切りまたは障壁を有してもよい。例えば、第３のチャンバは、第１のチャンバ内で混合された後に飲料を風味付けするために使用される風味成分、または第１のチャンバ内で混合されたビールに望ましい発泡上部を生成するために使用される発泡剤を含むことができる。飲料は、第３のチャンバが第１のチャンバで混合された後に第３のチャンバに、次に第３のチャンバから第２のチャンバに流入して、使用者は、調製された飲料を、それが分注される前に、視認することができる。
【００５３】
上述したように、飲料を調製するためのチャンバは、使い捨てチャンバであってもよい。この使い捨てのチャンバは、箱、シリンダ、または球のような多くの異なる形状を採ることができ、当業者は、使い捨てのチャンバが他の既知の三次元形状を採ることも容易に認識するであろう。
【００５４】
使い捨てチャンバは、プラスチック（ポリエチレンテレフタレート（ＰＥＴ）もしくは高密度ポリエチレンを含むが、これらに限定されない）、鋼、ステンレス鋼もしくはアルミニウムなどの金属、またはガラス、セラミック、複合材、もしくはポリマーなどの他の材料から製造することができる。使い捨てチャンバは、再利用可能なプラスチックまたはアルミニウムのような再利用可能な材料で製造することができ、それにより、チャンバが、飲料を調製するために使用した後に再利用されることを可能にする。
【００５５】
本発明のいくつかの好ましい実施形態では、この使い捨てのチャンバは、上述のように、チャンバを第１および第２の部分に分割する内部仕切りを有する。使い捨てチャンバの外部の透明部分は、使用者が使い捨てチャンバの第２の部分の内部を視認することを可能にし、不透明な内部仕切りは、第１の部分への視界を遮断する。
【００５６】
本発明のこれらの好ましい実施形態のいくつかでは、使い捨てチャンバの第１の部分は濃縮飲料を含む。濃縮飲料は、固体または液体の形態であってもよく、炭酸化またはその他の方法で加圧することができる。当業者は、様々な飲料を本発明の使い捨て飲料調製チャンバ内に濃縮し、加圧し、包装することができることを認識するであろう。例えば、本発明の濃縮飲料は、アルコールもしくは非アルコール性ビール（エールおよびラガーを含む）、サイダー、ワイン、麦芽ベースの飲料、発酵飲料、サイダーベースの飲料、スピリッツ、ジュース、シロップ、炭酸もしくは非炭酸清涼飲料水、コーヒー、または茶を含む。
【００５７】
濃縮飲料自体に加えて、使い捨て飲料調製チャンバは、加圧ガスを含むこともできる。本発明の実施形態では、ガスは、加圧下で使い捨てチャンバに注入され、その後、チャンバが密閉される。限定するものではないが、二酸化炭素、窒素、二酸化窒素、および亜酸化窒素のうちの１つ以上を含む、様々な種類のガスを本発明の濃縮飲料を加圧するために使用することができる。これらの実施形態では、加圧ガスは濃縮飲料に溶解する。
【００５８】
濃縮飲料および透明視認窓を有するチャンバの部分を含む使い捨てチャンバの部分に加えて、使い捨て準備チャンバは、飲料用の１つ以上の追加の風味または成分を含む追加の部分を有することができる。適切な風味成分の例には、（これらに限定されないが）スパイス風味、フルーツ風味、ホップ風味、麦芽風味、ナッツ風味、たばこ風味、他の適切な風味（コーヒー風味またはチョコレート風味などの）、およびそのような風味の混合物である。使い捨て飲料調製チャンバは、ホップ濃縮物、果実濃縮物、甘味料、苦味添加物、濃縮スパイス、発泡促進剤、濃縮麦芽ベース液体、濃縮発酵液体、濃縮ビール、着色料、風味添加剤、アルコール、およびそれらの混合物などの他の固体または液体濃縮成分も含むことができる。
【００５９】
本発明のいくつかの実施形態では、使い捨て飲料調製チャンバは、１杯分の飲料のみを調製するために十分な濃縮飲料を含む。したがって、ａ）使い捨て飲料調製チャンバが器具内に挿入され、ｂ）内部の濃縮飲料が液体と混合され、ｃ）器具の使用者が、透明な窓を通して飲料が調製され分注されていることを視認するために観察した後で、使い捨てのチャンバを器具から取り外し、廃棄または再利用する。
【００６０】
本発明の他の実施形態では、使い捨て飲料調製チャンバは、複数杯の飲料を調製するために十分な濃縮飲料を含む。これらの実施形態では、使い捨て飲料チャンバは、例えば、ピッチャーのビールを調製するために使用することができ、または、代替的に、新しい使い捨て調製チャンバに交換する前に、複数杯のビールを調製および分注ために複数回再使用することができる。本発明の様々な実施形態において、使い捨て飲料調製チャンバは、サイズが変化してもよい。使い捨て飲料調製チャンバのサイズは、例えば、チャンバに収容された濃縮飲料の種類、またはチャンバに収容された濃縮飲料から調製される飲料の杯数に依存し得る。
【００６１】
本発明のいくつかの実施形態では、使い捨て飲料調製チャンバの外部ケーシングの少なくとも１部分は浸透性であり、液体がチャンバに進入して、内部に収容された濃縮飲料と混合することを可能にし、および／または調製飲料がチャンバを出て分注されることを可能にする。本発明の他の実施形態では、飲料チャンバの外部ケーシングは浸透性でなく、液体がチャンバに進入して、内部に収容された濃縮飲料と混合し、かつ／または調製飲料が使い捨て容器を出て分注されることを可能にするために穿刺されなければならない。使い捨てチャンバが内部障壁または仕切りを含む実施形態では、仕切りは浸透性（例えば、人間の目に不透明に見えるが、液体が格子を通って流動することを可能にする非常に細かい材料の格子）でもよいし、調製飲料が容器の内部を流動することを可能にするために穿刺され／引き裂かれてもよい。
【００６２】
本発明のいくつかの好ましい実施形態では、使い捨てチャンバの外部ケーシングは、外光がチャンバに進入することを防止するとともに、酸素および他のガスがチャンバに進入することを防止することによって、内部に収容された濃縮飲料を保護する。
【００６３】
当業者に知られているように、光は、使い捨てチャンバに収容された濃縮飲料と化学反応を起こす可能性があり、チャンバへの光の透過に抵抗することによって、チャンバの外部ケーシングが、飲料の風味を保護し、保つことができる。例えば、２００ナノメートルから４００ナノメートル（および特に２８０ナノメートルから３４０ナノメートル）の波長の紫外光は、ビールの成分であるホップ中のイソアルファ酸を分解し、同様に可視青色光（波長３４０ナノメートルから５００ナノメートル）は、ビールに自然に存在するリボフラビンの存在下で、分解する。このように、本発明の好ましい実施形態では、使い捨てチャンバの外部断ケーシングは、５００ナノメートル未満の波長を有する光が、チャンバに進入することを遮断する。例えば、外部ケーシングは、光がチャンバ内に透過することを防止する遮光着色剤でコーティングされてもよい。
【００６４】
チャンバのケーシング内の透明窓を通して光が進入することを防止するために、窓は、チャンバの透明部分を被覆し、チャンバが飲料を調製するために使用されるとき、剥離またはさもなければ除去することができる膜または箔などの除去可能な不透明材料で被覆することができる。膜または箔は、アルミニウム箔のような当業者に知られている材料から構成することができ、チャンバ自体のケーシングと同じ耐光性コーティングで被覆することができる。使い捨てチャンバと同様に、取り外し可能な膜／箔も同様に再利用可能である。
【００６５】
同様に、当業者に知られているように、酸素および他のガスは濃縮飲料（特に濃縮ビール）と反応する可能性があり、飲料の風味に悪影響を及ぼし得る。酸素および他のガスがチャンバに進入することを防止するために、チャンバの外部ケーシングは、酸素または他のガスに対して不浸透性であってもよい。例えば、使い捨てチャンバの外部は、エチレンビニルアルコール（ＥＶＯＨ）、ナイロン、アルミニウム、または酸素がチャンバ内に染み出すことを防止する別の無機酸化物でコーティングすることができる。
【００６６】
本発明のいくつかの実施形態では、使い捨てチャンバは、チャンバ内の酸素を能動的に消費し、チャンバ内の濃縮飲料ならびに／または他の風味および成分との反応を防止する酸素捕捉剤を含む。本発明の様々な実施形態において、酸素捕捉材は、亜硫酸塩もしくはスルホン酸、鉄錯体、コバルト錯体、炭酸第一鉄、アスコルビン酸塩、炭酸水素ナトリウム、または酸素捕捉ポリマーであり得る。本発明の特定の実施形態では、酸素捕捉材は、熱可塑性ポリエステル（例えば、ポリエチレンテレフタレート、ポリエチレンナフタレン）、コバルト塩（ステアリン酸コバルト、ネオデコネート酸コバルトなど）、エチレングリコール、およびピロメリト酸二無水物よりなるポリエステル組成物である。これらの実施形態では、コバルト塩は、ポリエステル組成物の酸化を積極的に促進し、組成物を活性酸素捕捉材として挙動させる。
【００６７】
使い捨てチャンバの外部ケーシングの少なくとも一部が浸透性である実施形態では、ケーシングのこれらの１つ以上の浸透性部分は、光および／またはガスが使い捨てのチャンバに進入し、収容された飲料成分（複数含む）と反応することを防止することを助けるために、取り外し可能な膜または箔で同様に被覆され得る。
実施例
【００６８】
以下の予言的な例は、本発明の潜在的な実施形態を記載する。
【００６９】
実施例１：図１および図２は、飲料を調製するための例示的な器具１００を示す。この例示的な実施形態では、器具１００は、飲料がディスペンサ１２０から分注される前に、器具１００の内部で調製される飲料を使用者が見ることを可能にする、器具１００の正面に位置付けされた円形の視認窓１１０を有する。円形の視認窓１１０は、器具１００の内部に配置された飲料を調製するためのチャンバの壁であり、窓１１０は、使用者が、そのチャンバの内部を視認して、調製されている飲料を観察することを可能にする。
【００７０】
実施例２：飲料を調製するための再利用可能なシリンダ形ポッド。再利用可能なポッドは再利用可能なプラスチックで構成され、ポッドの内部を２つの別々の区画に分ける不透明なプラスチック仕切りを特徴とする。第１のチャンバは、濃縮され、炭酸化された、高重力ビールを含む。再利用可能なポッドは、飲料を調製するための器具に挿入され、第１のチャンバの壁が穿刺され、炭酸水が第１のチャンバに進入し、濃縮ビールと混合され、その結果、飲用ビールが製造される。次いで、第１のチャンバと第２のチャンバとの間の仕切りを穿刺し、ビールを第２のチャンバに流入させる。第２のチャンバの外壁のうちの１つは透明プラスチックで構成されており、使用者が、透明プラスチックによって形成された窓を通して第２のチャンバに流入する調製されたビールを視認することができる。透明なプラスチック製の窓は、アルミニウム箔で被覆されており、これは、使用者がチャンバ内を視認することを可能にするために、ポッドが使用される場合に、剥離することができる。次いで、飲料は、第２のチャンバおよび器具から分注される。
【００７１】
実施例３：飲料を調製するための再利用可能な箱形カプセル。再利用可能なカプセルは、再利用可能なアルミニウムで構成され、カプセルの内部を３つの別々の区画に分割する２つの不透明なアルミニウム仕切り（不透明に見えるが、液体に対して浸透性のある細かい格子を含む仕切り）を特徴とする。第１のチャンバは濃縮ビールを含み、第２のチャンバはビール用の１つ以上の風味成分を含み、第３のチャンバはその壁の１つとして透明プラスチック窓を備え、カプセルの使用者が、ビールが調製されているときに第３のチャンバの内部を視認することが可能にする。透明な長方形の窓は、再利用可能なプラスチック膜で被覆されており、これを窓から剥離され、再利用可能なカプセルで飲料が調製されているときに、使用者が第３のチャンバ内を視認することを可能にすることができる。カプセルには濃縮ビールが炭酸水と混合されているときに複数杯のビールを提供するために十分な濃縮ビールが含まれる。
【００７２】
本発明の実施形態および本発明の予言的実施例が例示目的で説明された。当業者であれば、この説明から、記載された実施形態および予言的実施例が限定的ではなく、本発明の様々な実施形態およびそれらの等価物に対する広範な保護を提供するように、添付の特許請求の範囲の趣旨および範囲によってのみ限定される修正および改変を伴って実行され得、添付の特許請求の範囲の趣旨および範囲がそのような修正および改変を包含することが意図されることを認識するであろう。
【図１】
2018512901.tif 000003
【図２】
2018512901.tif 000004
【国際調査報告】
2018512901.tif 000005
2018512901.tif 000006